(57)【要約】【課題】一回の爪切りで、爪の回りを丸く滑らかに切れ、爪先が半球形になるようにする。【解決の手段】内側を刳り貫いた半球形を金属等で造り、半球形に円形の穴を開け、その円形の穴の縁を刃に加工し、又は半球形に楕円形の穴を開け、その楕円形の穴の縁を刃に加工して、半球形にピンを通す穴を２カ所開けピンを通し、半球形Ａと擦り合う事ができ内側を刳り貫いた球形の一部を金属等で造り、球形の一部の縁を刃に加工し、球形の一部にピンを通す穴を２カ所開けピンを通し、半球形と球形の一部にピンを通して組み合わせ、半球形に対して球形の一部がピンを中心にして回転できるようにし、球形の一部の回転によって、半球形の穴の縁の刃と球形の一部の縁の刃の２枚の刃がペットの爪を切ることができるペット用爪切り。【選択図】    図１
2004181190.tif 000002
【特許請求の範囲】
【請求項１】
犬猫等のペットの爪を切る爪切りで、球形を二分割し内側を刳り貫いた半球形Ａを金属等で造り、半球形Ａに円形の穴を開け、その円形の穴の縁を刃Ｄに加工し、又は半球形Ａに楕円形の穴を開け、その楕円形の穴の縁を刃Ｄに加工して、半球形ＡにピンＣを通す穴を２カ所開け、半球形ＡのピンＣを通す穴にピンＣを通し、半球形Ａと擦り合う事ができ内側を刳り貫いた球形の一部Ｂを金属等で造り、球形の一部Ｂの縁の一部を刃Ｄに加工し、球形の一部Ｂの縁の刃Ｄは円弧形、又は球形の一部Ｂの縁の刃Ｄは直線形、又は球形の一部Ｂの縁の刃ＤはＶ字形、球形の一部ＢにピンＣを通す穴を２カ所開け、球形の一部ＢのピンＣを通す穴にピンＣを通し、半球形Ａと球形の一部ＢにピンＣを通して、半球形Ａと球形の一部Ｂを組み合わせ、半球形Ａに対して球形の一部ＢがピンＣを中心にして回転できるようにし、穴の縁に刃Ｄがある半球形Ａの穴にペットの爪を入れ、球形の一部Ｂの回転によって、半球形Ａの穴の縁の刃Ｄと球形の一部Ｂの縁の刃Ｄの２枚の刃Ｄがペットの爪を挟んで切ることができる、以上のことを特徴とするペット用爪切り。
【請求項２】
犬猫等のペットの爪を切る爪切りで、楕円体を二分割し内側を刳り貫いた半楕円体Ａを金属等で造り、半楕円体Ａに円形の穴を開け、その円形の穴の縁を刃Ｄに加工し、又は半楕円体Ａに楕円形の穴を開け、その楕円形の穴の縁を刃Ｄに加工して、半楕円体ＡにピンＣを通す穴を２カ所開け、半楕円体ＡのピンＣを通す穴にピンＣを通し、半楕円体Ａと擦り合う事ができ内側を刳り貫いた楕円体の一部Ｂを金属等で造り、楕円体の一部Ｂの縁の一部を刃Ｄに加工し、楕円体の一部Ｂの縁の刃Ｄは円弧形、又は楕円体の一部Ｂの縁の刃Ｄは直線形、又は楕円体の一部Ｂの縁の刃ＤはＶ字形、楕円体の一部ＢにピンＣを通す穴を２カ所開け、楕円体の一部ＢのピンＣを通す穴にピンＣを通し、半楕円体Ａと楕円体の一部ＢにピンＣを通して、半楕円体Ａと楕円体の一部Ｂを組み合わせ、半楕円体Ａに対して楕円体の一部ＢがピンＣを中心にして回転できるようにし、穴の縁に刃Ｄがある半楕円体Ａの穴にペットの爪を入れ、楕円体の一部Ｂの回転によって、半楕円体Ａの穴の縁の刃Ｄと楕円体の一部Ｂの縁の刃Ｄの２枚の刃Ｄがペットの爪を挟んで切ることがでる、以上のことを特徴とするペット用爪切り。
【発明の詳細な説明】
【０００１】
【発明の属する技術分野】
犬猫等のペットの爪切りの技術。
【０００２】
【従来の技術】
ペット用の爪切りで爪を切ると、爪の回りが角張って切れ、爪が引っ掛かる。
【０００３】
【発明が解決しようとする課題】
一回の爪切りで、爪の回りを丸く滑らかに切れ、爪先が半球形になるようにする。
【０００４】
【課題を解決するための手段】
内側を刳り貫いた半球形を金属等で造り、半球形に円形の穴を開け、その円形の穴の縁を刃に加工し、又は半球形に楕円形の穴を開け、その楕円形の穴の縁を刃に加工して、半球形にピンを通す穴を２カ所開けピンを通し、半球形と擦り合う事ができ内側を刳り貫いた球形の一部を金属等で造り、球形の一部の縁を刃に加工し、球形の一部にピンを通す穴を２カ所開けピンを通し、半球形と球形の一部にピンを通して組み合わせ、半球形に対して球形の一部がピンを中心にして回転できるようにし、球形の一部の回転によって、半球形の穴の縁の刃と球形の一部の縁の刃の２枚の刃がペットの爪を切ることができるペット用爪切り。
【０００５】
【発明の実施の形態】
球形を二分割し内側を刳り貫いた半球形Ａを金属等で造り、半球形Ａの厚さは０．１ｍｍから１２．０ｍｍ、半球形Ａの内側の直径は２．０ｍｍから８０．０ｍｍ、半球形Ａの外側の直径は２．２ｍｍから１０４．０ｍｍ、半球形Ａに直径が１．５ｍｍから７０．０ｍｍの円形の穴を開け、その円形の穴の縁を刃Ｄに加工し、又は半球形Ａに楕円形の穴を開け、半球形Ａに開けた楕円形の穴の長軸が１．５ｍｍから７０．０ｍｍ、半球形Ａに開けた楕円形の穴の短軸が１．０ｍｍから６５．０ｍｍ、その楕円形の穴の縁を刃Ｄに加工して、半球形ＡにピンＣを通す穴を２カ所開け、半球形ＡのピンＣを通す穴にピンＣを通し、半球形Ａと擦り合う事ができ内側を刳り貫いた球形の一部Ｂを金属等で造り、球形の一部Ｂの厚さは０．１ｍｍから１２．０ｍｍ、球形の一部Ｂの縁の一部を刃Ｄに加工し、球形の一部Ｂの縁の刃Ｄは円弧形、又は球形の一部Ｂの縁の刃Ｄは直線形、又は球形の一部Ｂの縁の刃ＤはＶ字形、球形の一部ＢにピンＣを通す穴を２カ所開け、球形の一部ＢのピンＣを通す穴にピンＣを通し、半球形Ａと球形の一部ＢにピンＣを通して、半球形Ａと球形の一部Ｂを組み合わせ、半球形Ａに対して球形の一部ＢがピンＣを中心にして回転できるようにし、穴の縁に刃Ｄがある半球形Ａの穴にペットの爪を入れ、球形の一部Ｂの回転によって、半球形Ａの穴の縁の刃Ｄと球形の一部Ｂの縁の刃Ｄの２枚の刃Ｄがペットの爪を挟んで切ることができる、以上のことを特徴とするペット用爪切り。
【０００６】
楕円体を二分割し内側を刳り貫いた半楕円体Ａを金属等で造り、半楕円体Ａの厚さは０．１ｍｍから１２．０ｍｍ、半楕円体Ａの内側の長軸が２．５ｍｍから９０．０ｍｍ、半楕円体Ａの内側の短軸が２．０ｍｍから８０．０ｍｍ、半楕円体Ａに直径が１．５ｍｍから７０．０ｍｍの円形の穴を開け、その円形の穴の縁を刃Ｄに加工し、又は半楕円体Ａに楕円形の穴を開け、半楕円体Ａに開けた楕円形の穴は長軸が１．５ｍｍから７５．０ｍｍ、半楕円体Ａに開けた楕円形の穴は短軸が１．０ｍｍから６５．０ｍｍ、その楕円形の穴の縁を刃Ｄに加工して、半楕円体ＡにピンＣを通す穴を２カ所開け、半楕円体ＡのピンＣを通す穴にピンＣを通し、半楕円体Ａと擦り合う事ができ内側を刳り貫いた楕円体の一部Ｂを金属等で造り、楕円体の一部Ｂの厚さは０．１ｍｍから１２．０ｍｍ、楕円体の一部Ｂの縁の一部を刃Ｄに加工し、楕円体の一部Ｂの縁の刃Ｄは円弧形、又は楕円体の一部Ｂの縁の刃Ｄは直線形、又は楕円体の一部Ｂの縁の刃ＤはＶ字形、楕円体の一部ＢにピンＣを通す穴を２カ所開け、楕円体の一部ＢのピンＣを通す穴にピンＣを通し、半楕円体Ａと楕円体の一部ＢにピンＣを通して、半楕円体Ａと楕円体の一部Ｂを組み合わせ、半楕円体Ａに対して楕円体の一部ＢがピンＣを中心にして回転できるようにし、穴の縁に刃Ｄがある半楕円体Ａの穴にペットの爪を入れ、楕円体の一部Ｂの回転によって、半楕円体Ａの穴の縁の刃Ｄと楕円体の一部Ｂの縁の刃Ｄの２枚の刃Ｄがペットの爪を挟んで切ることがでる、以上のことを特徴とするペット用爪切り。
【０００７】
【実施例】
図１，図２のように、内側を刳り貫いた半球形Ａをステンレス金属で造り、半球形Ａの厚さは１．０ｍｍ、半球形Ａの内側の直径は８．０ｍｍ、半球形Ａの外側の直径は１０．０ｍｍ、半球形Ａに直径６．０ｍｍの円形の穴を開け、その円形の穴の縁を刃Ｄに加工し、半球形ＡにピンＣを通す穴を２カ所開け、半球形ＡのピンＣを通す穴にピンＣを通し、半球形Ａと擦り合う事ができ内側を刳り貫いた球形の一部Ｂをステンレス金属で造り、球形の一部Ｂの厚さは１．０ｍｍ、球形の一部Ｂの縁を刃Ｄに加工し、球形の一部Ｂの縁の刃Ｄは円弧形、球形の一部ＢにピンＣを通す穴を２カ所開け、球形の一部ＢのピンＣを通す穴にピンＣを通し、半球形Ａと球形の一部ＢにピンＣを通して、半球形Ａと球形の一部Ｂを組み合わせ、半球形Ａに対して球形の一部ＢがピンＣを中心にして回転できるようにし、球形の一部Ｂの回転によって、半球形Ａの穴の縁の刃Ｄと球形の一部Ｂの縁の刃Ｄの２枚の刃Ｄがペットの爪を切ることができ、半球形ＡのピンＣを取り付けた球面に円形の歯車Ｅを取り付け、ピンＣの軸と円形の歯車Ｅの軸は同じにし、円形の歯車Ｅの半径の４倍から８倍の半径の扇形の歯車Ｆを円形の歯車Ｅに接続して取り付け、扇形の歯車Ｆに扇形の歯車Ｆを可動させる押圧操作レバーＨを取り付け、扇形の歯車Ｆの可動の中心にピンＪを取り付け、操作レバーＧに半球形Ａを固定し、操作レバーＧにピンＣとピンＪを取り付け、操作レバーＧと押圧操作レバーＨの間にスプリングＫを取り付け、操作レバーＧと押圧操作レバーＨの操作で半球形Ａの回りを球形の一部Ｂが回転し、穴の縁に刃Ｄがある半球形Ａの円形の穴にペットの爪を入れ、半球形Ａの穴の縁の刃Ｄと球形の一部Ｂの縁の刃Ｄの２枚の刃Ｄがペットの爪を挟んで切ることができるペット用爪切り。
【０００８】
楕円体を二分割し内側を刳り貫いた半楕円体Ａを炭素鋼で造り、半楕円体Ａの厚さは２．０ｍｍ、半楕円体Ａの内側の長軸が１０．０ｍｍ、半楕円体Ａの内側の短軸が８．０ｍｍ、半楕円体Ａに楕円形の穴を開け、半楕円体Ａに開けた楕円形の穴は長軸が７．０ｍｍ、半楕円体Ａに開けた楕円形の穴は短軸が５．５ｍｍｍｍ、その楕円形の穴の縁を刃Ｄに加工して、半楕円体ＡにピンＣを通す穴を２カ所開け、半楕円体ＡのピンＣを通す穴にピンＣを通し、半楕円体Ａと擦り合う事ができ内側を刳り貫いた楕円体の一部Ｂを炭素鋼で造り、楕円体の一部Ｂの厚さは２．０ｍｍ、楕円体の一部Ｂの縁の一部を刃Ｄに加工し、楕円体の一部Ｂの縁の刃Ｄは直線形、楕円体の一部ＢにピンＣを通す穴を２カ所開け、楕円体の一部ＢのピンＣを通す穴にピンＣを通し、半楕円体Ａと楕円体の一部ＢにピンＣを通して、半楕円体Ａと楕円体の一部Ｂを組み合わせ、半楕円体Ａに対して楕円体の一部ＢがピンＣを中心にして回転できるようにし、楕円体の一部Ｂの回転によって、半楕円体Ａの穴の縁の刃Ｄと楕円体の一部Ｂの縁の刃Ｄの２枚の刃Ｄがペットの爪を切ることができ、半楕円体ＡのピンＣを取り付けた球面に円形の歯車Ｅを取り付け、ピンＣの軸と円形の歯車Ｅの軸は同じにし、円形の歯車Ｅの半径の４倍から８倍の半径の扇形の歯康Ｆを円形の歯車Ｅに接続して取り付け、扇形の歯車Ｆに扇形の歯車Ｆを可動させる押圧操作レバーＨを取り付け、扇形の歯車Ｆの可動の中心にピンＪを取り付け、操作レバーＧに半楕円体Ａを固定し、操作レバーＧにピンＣとピンＪを取り付け、操作レバーＧと押圧操作レバーＨの間にスプリングＫを取り付け、操作レバーＧと押圧操作レバーＨの操作で半楕円体Ａの回りを楕円体の一部Ｂが回転し、穴の縁に刃Ｄがある半楕円体Ａの楕円形の穴にペットの爪を入れ、半楕円体Ａの穴の縁の刃Ｄと楕円体の一部Ｂの縁の刃Ｄの２枚の刃Ｄがペットの爪を挟んで切ることができるペット用爪切り。
【０００９】
【発明の効果】
一回の爪切りで、爪の回りを丸く滑らかに切れ、爪先が半球形になる。
【図面の簡単な説明】
【図１】内側を刳り貫いた半球形Ａを金属等で造り、半球形Ａの厚さは０．１ｍｍから１２．０ｍｍ、半球形Ａの内側の直径は２．０ｍｍから８０．０ｍｍ、半球形Ａに直径が１．５ｍｍから７０．０ｍｍの円形の穴を開け、その円形の穴の縁を刃Ｄに加工し、半球形ＡにピンＣを通す穴を２カ所開けピンＣを通し、半球形Ａと擦り合う事ができ内側を刳り貫いた球形の一部Ｂを金属等で造り、球形の一部Ｂの厚さは０．１ｍｍから１２．０ｍｍ、球形の一部Ｂの縁の一部を刃Ｄに加工し、球形の一部Ｂの縁の刃Ｄは円弧形、球形の一部ＢにピンＣを通す穴を２カ所開けピンＣを通し、半球形Ａと球形の一部ＢにピンＣを通して、半球形Ａと球形の一部Ｂを組み合わせ、半球形Ａに対して球形の一部ＢがピンＣを中心にして回転できるようにし、球形の一部Ｂの回転によって、半球形Ａの穴の縁の刃Ｄと球形の一部Ｂの縁の刃Ｄの２枚の刃Ｄがペットの爪を挟んで切ることができるペット用爪切り。
【図２】内側を刳り貫いた半球形Ａを金属等で造り、半球形Ａに円形の穴を開け、その円形の穴の縁を刃Ｄに加工し、半球形ＡにピンＣを通す穴を２カ所開けピンＣを通し、半球形Ａと擦り合う事ができ内側を刳り貫いた球形の一部Ｂを金属等で造り、球形の一部Ｂの縁の一部を刃Ｄに加工し、球形の一部Ｂの縁の刃Ｄは円弧形、球形の一部ＢにピンＣを通す穴を２カ所開けピンＣを通し、半球形Ａと球形の一部ＢにピンＣを通して組み合わせ、半球形Ａに対して球形の一部ＢがピンＣを中心にして回転できるようにし、球形の一部Ｂの回転によって、半球形Ａの穴の縁の刃Ｄと球形の一部Ｂの縁の刃Ｄの２枚の刃Ｄがペットの爪を挟んで切ることができ、半球形ＡのピンＣを取り付けた球面に円形の歯車Ｅを取り付け、ピンＣの軸と円形の歯車Ｅの軸は同じにし、円形の歯車Ｅの半径の４倍から８倍の半径の扇形の歯車Ｆを円形の歯車Ｅに接続して取り付け、扇形の歯車Ｆに扇形の歯車Ｆを可動させる押圧操作レバーＨを取り付け、扇形の歯車Ｆの可動の中心にピンＪを取り付け、操作レバーＧに半球形Ａを固定し、操作レバーＧにピンＣとピンＪを取り付け、操作レバーＧと押圧操作レバーＨの間にスプリングＫを取り付け、操作レバーＧと押圧操作レバーＨの操作で半球形Ａの回りを球形の一部Ｂが回転し、半球形Ａの穴の縁の刃Ｄと球形の一部Ｂの縁の刃Ｄの２枚の刃Ｄがペットの爪を挟んで切ることができるペット用爪切り。
【符号の説明】
Ａ：内側を刳り貫いた半球形、  Ｂ：半球形Ａと擦り合う事ができ内側を刳り貫いた球形の一部、  Ｃ：ピン、  Ｄ：刃、  Ｅ：円形の歯車、  Ｆ：扇形の歯車、  Ｇ：操作レバー、  Ｈ：押圧操作レバー、  Ｊ：ピン、  Ｋ：スプリング
【図１】
2004181190.tif 000003
【図２】
2004181190.tif 000004
【手続補正書】
【提出日】平成15年4月2日(2003.4.2)
【手続補正１】
【補正対象書類名】明細書
【補正対象項目名】特許請求の範囲
【補正方法】変更
【補正の内容】
【特許請求の範囲】
【請求項１】
犬猫等のペットの爪を切る爪切りで、球形を二分割し内側を刳り貫いた半球形Ａを金属等で造り、半球形Ａに円形の穴を開け、その円形の穴の縁を刃Ｄに加工し、又は半球形Ａに楕円形の穴を開け、その楕円形の穴の縁を刃Ｄに加工して、半球形ＡにピンＣを通す穴を２カ所開け、半球形ＡのピンＣを通す穴にピンＣを通し、半球形Ａと擦り合う事ができ内側を刳り貫いた球形の一部Ｂを金属等で造り、球形の一部Ｂの縁の一部を刃Ｄに加工し、球形の一部Ｂの縁の刃Ｄは平面で見て円弧形で、球形の一部Ｂの縁の刃Ｄは立面で見て直線形であって、球形の一部ＢにピンＣを通す穴を２カ所開け、球形の一部ＢのピンＣを通す穴にピンＣを通し、半球形Ａと球形の一部ＢにピンＣを通して、半球形Ａと球形の一部Ｂを組み合わせ、半球形Ａに対して球形の一部ＢがピンＣを中心にして回転できるようにし、穴の縁に刃Ｄがある半球形Ａの穴にペットの爪を入れ、球形の一部Ｂの回転によって、半球形Ａの穴の縁の刃Ｄと球形の一部Ｂの縁の刃Ｄの２枚の刃Ｄがペットの爪を挟んで切ることができる、以上のことを特徴とするペット用爪切り。
【請求項２】
犬猫等のペットの爪を切る爪切りで、楕円体を二分割し内側を刳り貫いた半楕円体Ａを金属等で造り、半楕円体Ａに円形の穴を開け、その円形の穴の縁を刃Ｄに加工し、又は半楕円体Ａに楕円形の穴を開け、その楕円形の穴の縁を刃Ｄに加工して、半楕円体ＡにピンＣを通す穴を２カ所開け、半楕円体ＡのピンＣを通す穴にピンＣを通し、半楕円体Ａと擦り合う事ができ内側を刳り貫いた楕円体の一部Ｂを金属等で造り、楕円体の一部Ｂの縁の一部を刃Ｄに加工し、楕円体の一部Ｂの縁の刃Ｄは平面で見て円弧形で、楕円体の一部Ｂの縁の刃Ｄは立面で見て直線形であって、楕円体の一部ＢにピンＣを通す穴を２カ所開け、楕円体の一部ＢのピンＣを通す穴にピンＣを通し、半楕円体Ａと楕円体の一部ＢにピンＣを通して、半楕円体Ａと楕円体の一部Ｂを組み合わせ、半楕円体Ａに対して楕円体の一部ＢがピンＣを中心にして回転できるようにし、穴の縁に刃Ｄがある半楕円体Ａの穴にペットの爪を入れ、楕円体の一部Ｂの回転によって、半楕円体Ａの穴の縁の刃Ｄと楕円体の一部Ｂの縁の刃Ｄの２枚の刃Ｄがペットの爪を挟んで切ることがでる、以上のことを特徴とするペット用爪切り。